【手続補正書】
【提出日】平成15年3月19日(2003.3.19)
【手続補正１】
【補正対象書類名】明細書
【補正対象項目名】特許請求の範囲
【補正方法】変更
【補正の内容】
【特許請求の範囲】
【請求項１】
（ｉ）テトラフルオロエチレン、（ｉｉ）ビニリデンフルオリド、（ｉｉｉ）式ＣＦ２＝ＣＦＲｆ（式中、Ｒｆは、１〜８個の炭素原子を有するペルフルオロアルキルである）の少なくとも一種のエチレン系不飽和モノマー、及び（ｉｖ）式ＣＦ２＝ＣＦ−（ＯＣＦ２ＣＦ（Ｒｆ））ａＯＲ’ｆ（式中、Ｒｆは、（ｉｉｉ）に記載したとおりであり、Ｒ’ｆは、１〜８個の炭素原子を有するペルフルオロ脂肪族基であり、又ａは、０〜３の値を有する）のペルフルオロビニルエーテル、から由来するインターポリマー化単位を含むフルオロポリマー。
【請求項２】
Ｒ’ｆは、ペルフルオロアルキル又はペルフルオロアルコキシである、請求項１に記載のフルオロポリマー。
【請求項３】
フルオロポリマーが半結晶性である、請求項２に記載のフルオロポリマー。
【請求項４】
フルオロポリマーがエラストマーである、請求項２に記載のフルオロポリマー。
【請求項５】
ａが１〜３の値である、請求項１に記載のフルオロポリマー。
【請求項６】
（ｉ）テトラフルオロエチレン３０〜８５重量％、（ｉｉ）ビニリデンフルオリド５〜５５重量％、（ｉｉｉ）式ＣＦ２＝ＣＦＲｆ（式中、Ｒｆは、１〜８個の炭素原子を有するペルフルオロアルキルである）の少なくとも一種のエチレン系不飽和モノマー５〜５０重量％、及び（ｉｖ）式ＣＦ２＝ＣＦ−（ＯＣＦ２ＣＦ（ＣＦ３））ａＯＲ’ｆ（式中、ａは、０〜３の値であり、又Ｒ’ｆは、１〜８個の炭素原子を有するペルフルオロ脂肪族基である）のペルフルオロビニルエーテル残量から由来するインターポリマー化単位を含むフルオロポリマー。
【請求項７】
請求項６に記載のフルオロポリマーであって、テトラフルオロエチレン４０〜８０重量％、ビニリデンフルオリド１０〜３０重量％、式ＣＦ２＝ＣＦＲｆで表されるモノマー５〜４０重量％、及びペルフルオロビニルエーテル０．１〜１５重量％、から由来するインターポリマー化単位を含む、半結晶性フルオロポリマー。
【請求項８】
ペルフルオロビニルエーテルに対する式中のａが０〜２の値を有する、請求項７に記載の半結晶性フルオロポリマー。
【請求項９】
テトラフルオロエチレン２０〜５０重量％、ビニリデンフルオリド１０〜３５重量％、式ＣＦ２＝ＣＦＲｆで表されるモノマー２０〜５０重量％、及びペルフルオロビニルエーテル０．１〜１５重量％、から由来するインターポリマー化単位を含む、請求項６に記載のエラストマーフルオロポリマー。
【請求項１０】
ペルフルオロビニルエーテルに対する式中のａが０〜２の値を有する、請求項９に記載のエラストマーフルオロポリマー。
【請求項１１】
ペルフルオロビニルエーテルは下記のものから構成される群から選択される、請求項１に記載のフルオロポリマー。
【化１】
2004501991.tif 000001
【請求項１２】
ペルフルオロビニルエーテルは下記のものから構成される群から選択される、請求項１に記載のフルオロポリマー。
【化２】
2004501991.tif 000002
【請求項１３】
（ｉ）テトラフルオロエチレン、（ｉｉ）ビニリデンフルオリド、（ｉｉｉ）式ＣＦ２＝ＣＦＲｆ（式中、Ｒｆは、１〜８個の炭素原子を有するペルフルオロアルキルである）の少なくとも一種のエチレン系不飽和モノマー、及び（ｉｖ）式ＣＦ２＝ＣＦ−（ＯＣＦ２ＣＦ（Ｒｆ））ａＯＲ’ｆ（式中、Ｒｆは、（ｉｉｉ）に記載したとおりであり、Ｒ’ｆは、１〜８個の炭素原子を有するペルフルオロ脂肪族基であり、又ａは、０〜３の値を有する）のペルフルオロビニルエーテル、から由来するインターポリマー化単位を含むポリマーを含む第１層、及び
熱可塑性ポリマー及びエラストマーポリマーから選択されるポリマーを含む第２層
を有する多層物品。
【請求項１４】
請求項１３に記載の成形多層物品。
【請求項１５】
炭化水素流体に対する耐性を有する、請求項１４に記載の成形多層物品。
【請求項１６】
第１層を形成するポリマーとして、（ｉ）テトラフルオロエチレン、（ｉｉ）ビニリデンフルオリド、（ｉｉｉ）式ＣＦ２＝ＣＦＲｆ（式中、Ｒｆは、１〜８個の炭素原子を有するペルフルオロアルキルである）の少なくとも一種のエチレン系不飽和モノマー、及び（ｉｖ）式ＣＦ２＝ＣＦ−（ＯＣＦ２ＣＦ（Ｒｆ））ａＯＲ’ｆ（式中、Ｒｆは、（ｉｉｉ）に記載したとおりであり、Ｒ’ｆは、１〜８個の炭素原子を有するペルフルオロ脂肪族基であり、又ａは、０〜３の値を有する）のペルフルオロビニルエーテル、から由来するインターポリマー化単位で構成されたフルオロポリマーを用いた請求項１３に記載の成形多層物品。
【請求項１７】
ポリマー光ファイバーを含む、請求項１３に記載の成形多層物品。
【請求項１８】
静電気消散性の、請求項１３に記載の成形多層物品。
【請求項１９】
（ｉ）テトラフルオロエチレン、（ｉｉ）ビニリデンフルオリド、（ｉｉｉ）式ＣＦ２＝ＣＦＲｆ（式中、Ｒｆは、１〜８個の炭素原子を有するペルフルオロアルキルである）の少なくとも一種のエチレン系不飽和モノマー、から由来するインターポリマー化単位から本質的に構成されるポリマーの柔軟性改善方法であって、モノマー（ｉ）、（ｉｉ）及び（ｉｉｉ）を式ＣＦ２＝ＣＦ−（ＯＣＦ２ＣＦ（Ｒｆ））ａＯＲ’ｆ（式中、Ｒｆは、（ｉｉｉ）に記載したとおりであり、Ｒ’ｆは、１〜８個の炭素原子を有するペルフルオロ脂肪族基であり、１〜８の値を有し、又ａは、１〜３の値を有する）のペルフルオロビニルエーテルと共重合させる工程を含む、方法。
【請求項２０】
ポリマーが熱可塑性である、請求項１９に記載の方法。
【請求項２１】
請求項１０に記載のエラストマーフルオロポリマー及びそのエラストマーフルオロポリマー用架橋剤を含む架橋性組成物。
【請求項２２】
更に充填材を含む、請求項２１に記載の架橋性組成物。
【請求項２３】
フルオロポリマーが多分散分子量分布を有する、請求項１に記載のフルオロポリマー。
【手続補正２】
【補正対象書類名】明細書
【補正対象項目名】０００１
【補正方法】変更
【補正の内容】
【０００１】
発明の技術分野
本発明は、（ｉ）テトラフルオロエチレン（ＴＦＥ）、（ｉｉ）ビニリデンフルオリド（ＶＤＦ）、（ｉｉｉ）式ＣＦ２＝ＣＦＲｆの少なくとも一種のエチレン系不飽和モノマー、及び（ｉｖ）式ＣＦ２＝ＣＦ−（ＯＣＦ２ＣＦ（Ｒｆ））ａＯＲ’ｆ（式中、Ｒｆ及びＲ’ｆは、下記定義のとおりである）のペルフルオロビニルエーテル、から由来するフルオロポリマーに関する。


【手続補正３】
【補正対象書類名】明細書
【補正対象項目名】０００９
【補正方法】変更
【補正の内容】
【０００９】
発明の要約
本発明は、ＴＦＥ、ＶＤＦ、少なくとも１種のペフルオロ化エチレン系不飽和モノマー及びペルフルオロビニルエーテルを含む、フルオロポリマーを提供する。本発明のこのポリマーは、広範囲の組成にわたって優れた物理的特性を示す。そのポリマーは、又、極めて優れた柔軟性を示す。


【手続補正４】
【補正対象書類名】明細書
【補正対象項目名】００１０
【補正方法】変更
【補正の内容】
【００１０】
本発明にしたがって、（ｉ）ＴＦＥ、（ｉｉ）ＶＤＦ、（ｉｉｉ）式ＣＦ２＝ＣＦＲｆ（式中、Ｒｆは、１〜８個、好ましくは１〜３個の炭素原子を有するペルフルオロアルキルである）の少なくとも一種のエチレン系不飽和モノマー、及び（ｉｖ）式ＣＦ２＝ＣＦ−（ＯＣＦ２ＣＦ（Ｒｆ））ａＯＲ’ｆ（式中、Ｒｆは、１〜８個、好ましくは１〜３個の炭素原子を有するペルフルオロアルキルでり、Ｒ’ｆは、１〜８個、好ましくは１〜３個の炭素原子を有するペルフルオロ脂肪族基、好ましくはペルフルオロアルキル又はペルフルオロアルコキシであり、又、ａは、０〜３の値を有する）のペルフルオロビニルエーテル、のインターポリマー化単位から由来するフルオロポリマーが提供される。